(57)【要約】【課題】  本願発明は、消音性の向上を図ると共に通話者が良好に呼吸をすることができる電話器用消音マスクの提供を図ることにある。【解決手段】通話者口を覆うためのマスク本体１１を備え、マスク本体内部に入れたマイクｍによって携帯電話への通話を行うことにより、通話者の音声が外部に漏れにくくした電話器用消音マスクである。マスク本体１１には通気性のない素材で構成された遮音層１３を備え、この遮音層１３には吸気用逆止弁１８と排気用逆止弁１９とが形成されている。吸気用逆止弁１８は、遮音層の外部から内部への通気を許し反対方向の通気を許さない逆止弁であり、排気用逆止弁１９が、遮音層の内部から外部への通気を許し反対方向の通気を許さない逆止弁である。【選択図】          図２
2009130756.tif 000002
【特許請求の範囲】
【請求項１】
通話者口を覆うためのマスク本体を備え、マスク本体内部に入れたマイクによって携帯電話への通話を行うことにより、通話者の音声が外部に漏れにくくした電話器用消音マスクにおいて、
マスク本体には通気性のない素材で構成された遮音層を備え、この遮音層には吸気用逆止弁と排気用逆止弁とが形成され、
吸気用逆止弁が、遮音層の外部から内部への通気を許し反対方向の通気を許さない逆止弁であり、
排気用逆止弁が、遮音層の内部から外部への通気を許し反対方向の通気を許さない逆止弁であることを特徴とする電話器用消音マスク。
【請求項２】
上記のマスク本体が、上記の遮音層の外側に配位された外層と、上記の遮音層の内側に配位された内層とを備え、これらの外層及び内層が織地、編地若しくは不織布から構成された通気性を備えた層であり、遮音層が合成樹脂製の層であることを特徴とする請求項１記載の電話器用消音マスク。
【請求項３】
上記のマスクの周縁部の内側には、合成ゴム又は天然ゴムから形成された顔面への密着部を備えたものであることを特徴とする請求項１又は２記載の電話器用消音マスク。
【発明の詳細な説明】
【技術分野】
【０００１】
本願発明は、電話器用消音マスクに関するもである。
【背景技術】
【０００２】
今日使用されている電話器具は送話器部分から話し声が漏れてしまう。そのため他人に迷惑をかける理由などから、電車の中、ホテルのロビーなどの場所では携帯電話による通話が禁止されており、非常に不便である。また、固定電話であっても、会話音が他人に迷惑をかけたり、プライバシーの会話が出来なかったりして、不便が多く、他方、オフィスなどの仕事場でも多くの人が一度に通話すると、非常に騒々しい環境となる。
【０００３】
そのため、特許文献１や２のような種々の消音器具が提案されており、特に、特許文献２にあっては、マスク形状をなしており、携帯電話に接続されたマイクをマスク内に入れるようにすることが提案されている。ところが、特許文献２にあってはマスクの構造について充分な改良が加えられておらず、消音性を向上させようとすると、通話者の息がし難くなってしまう。
【０００４】
【特許文献１】特開２０００−２４４６２２号公報
【特許文献２】特開２００６−２８７８８６号公報
【発明の開示】
【発明が解決しようとする課題】
【０００５】
本願発明は、消音性の向上を図ると共に通話者が良好に呼吸をすることができる電話器用消音マスクの提供を図ることにある。
【課題を解決するための手段】
【０００６】
本願の請求項１に係る発明は、通話者口を覆うためのマスク本体を備え、マスク本体内部に入れたマイクによって携帯電話への通話を行うことにより、通話者の音声が外部に漏れにくくした電話器用消音マスクにおいて、
マスク本体には通気性のない素材で構成された遮音層を備え、この遮音層には吸気用逆止弁と排気用逆止弁とが形成され、
吸気用逆止弁が、遮音層の外部から内部への通気を許し反対方向の通気を許さない逆止弁であり、
排気用逆止弁が、遮音層の内部から外部への通気を許し反対方向の通気を許さない逆止弁であることを特徴とする電話器用消音マスクを提供する。
本願の請求項２に係る発明は、上記のマスク本体が、上記の遮音層の外側に配位された外層と、上記の遮音層の内側に配位された内層とを備え、これらの外層及び内層が織地、編地若しくは不織布から構成された通気性を備えた層であり、遮音層が合成樹脂製の層であることを特徴とする請求項１記載の電話器用消音マスクを提供する。
本願の請求項３に係る発明は、上記のマスクの周縁部の内側に、合成ゴム又は天然ゴムから形成された顔面への密着部を備えたものであることを特徴とする請求項１又は２記載の電話器用消音マスクを提供する。
【発明の効果】
【０００７】
本願発明は、マスク本体に設けられた遮音層が気密性の高いものであったとしても、吸気用逆止弁と排気用逆止弁とを備えたものであるため、空気を吸うときは吸気用逆止弁が開いて空気がマスク本体内に入り、空気を吐くときには排気用逆止弁が開いて空気をマスク外に排出する。このように鼻と口とを消音マスクで覆って密閉して消音性を高めたとしても、マスク本体内のマイクよって電話による通話も可能であると共に、呼吸も良好に行うことができる電話器用消音マスクを提供することができたものである。
【発明を実施するための最良の形態】
【０００８】
以下、図面に基づき本願発明の実施の形態を説明する。
この電話器用消音マスクは、マスク本体１１と、このマスク本体１１の左右に設けられた支持部１２とを備え、支持部１２を耳にかけて顔面に装着する。
【０００９】
マスク本体１１は、通話者の口と鼻とを覆うもので、中央部分が前方に突出した立体形状をなしており、図１（Ｂ）に示すように、外側から内側へ外層１４、遮音層１３、内層１５の３種の層を備えており、望ましくは、図２に示すように、左右方向の略中央に折り目１６が形成されて、二つ折りにできるようになっている。
【００１０】
外層１４と内層１５とは、織地、編地若しくは不織布から構成された通気性を備えた層であり、マスクの外観は、通常のマスクと同様のものとなっている。
遮音層１３は、合成樹脂などの通気性のない素材で構成されたもので、吸気用逆止弁１８と排気用逆止弁１９とを備える。この吸気用逆止弁１８と排気用逆止弁１９はそれぞれ１個以上設ければよいが、この例では遮音層１３の略全体に配列されて、２０個程度が設けられている。この吸気用逆止弁１８は、遮音層１３の外部から内部への通気を許し反対方向の通気を許さない逆止弁である。他方、排気用逆止弁１９は、遮音層１３の内部から外部への通気を許し反対方向の通気を許さない逆止弁である。
【００１１】
この吸気用逆止弁１８と排気用逆止弁１９とは、逆止弁効果があるものであれば適宜変更して実施することができるが、特に、図３に示すものが有効である。このものは、図３（Ｂ）に示すように、中心から放射状に伸びる切り込み２０を遮音層１３に設けることによって、複数個のフラップ２１を形成したものである。図３（Ａ）に示すように、このフラップ２１は基端２２から先端２３に向かうにしたがって、逆止弁の流出可能方向に漸次突出する。具体的には、吸気用逆止弁１８の場合にはマスクの内側に向けて漸次突出し、排気用逆止弁１９の場合にはマスクの外側に漸次突出する。これによって、流出可能方向への気流によって、弁が開き、反対方向への気流にはフラップ２１同士が接近して弁が閉じる。この弁の形状と固さを設定することによって、会話の呼気は吐き出す圧力で通るが、音の波は消すようにすることで、会話音がそとに漏れ出てしまうことを防ぐことができ、消音効果を発揮するものである。
【００１２】
図１（Ｂ）に示すように、マスクの周縁部の内側には合成ゴム又は天然ゴムから形成された顔面への密着部２４を備えて遮音の効果を高めるようにしておくことも望ましい。マスク本体１１の遮音層１３の内側に、携帯電話器に接続されるマイクｍを収納する。このマイクｍは、遮音層１３と内層１５との間に装着することができ、遮音層１３と内層１５との間の空間に連なるように、周縁部の縫製の一部を行わなかったり、あるいは別の入口を内層１５に設けておいて、ここからマイクｍを内部に挿入するようにする。また、内層１５の内側（内層１５と顔面との間）に、マイクｍを装着するようにしてもよい。
【００１３】
また、携帯電話にかぎらず、固定電話に用いるようにしてもよい。この場合、送話器具とイヤホンとを取り付けて、携帯電話と同様にマイクｍを用いて、この消音マスクをもちいればよい。
【図面の簡単な説明】
【００１４】
【図１】（Ａ）は本願発明の実施の形態に係る消音マスクの装着状態の側面図であり、（Ｂ）は同消音マスクの断面図である。
【図２】（Ａ）は同消音マスクの外層を示す正面図であり、（Ｂ）は同消音マスクの遮音層の正面図であり、（Ｃ）は同消音マスクの内層を示す正面図である。
【図３】（Ａ）は同消音マスクの弁構造を示す平面図であり、（Ｂ）は同断面図である。
【符号の説明】
【００１５】
１１  マスク本体
１２  支持帯
１３  遮音層
１４  外層
１５  内層
１６  折り目線
１８  吸気用逆止弁
１９  排気用逆止弁
２０  切り込み
２１  フラップ
２２  基端
２３  先端
２４  密着部
ｍ    マイク
【図１】
2009130756.tif 000003
【図２】
2009130756.tif 000004
【図３】
2009130756.tif 000005